(57)【要約】      （修正有）【課題】果物の直径、高さによって上調節部品と下調節部品を調節でき、ほとんどの果物に対応できる、果物皮むき機を提供すること。【解決手段】果物固定盤４３の頂部端面には左右対称な固定針Ｂ４４が取り付けられ、上調節部品９０３はスライド板１０を含み、スライド板１０の中には下方に開口した上方スライド溝１１が設けられ、上方スライド溝１１の中には上スライドブロック１３がスライドできるように取り付けられ、上スライドブロック１３の底部端面の中には回転ヘッド１５が取り付けられ、回転ヘッド１５の底部端面には固定板１４が取り付けられ、固定板１４の底部端面には左右に対称的な固定針Ａ１６が取り付けられ、スライド板１０の上下位置を調節することによって果物を果物固定盤４３と固定板１４との間に固定する。【選択図】図１
2020175070.tif 000002
【特許請求の範囲】
【請求項１】
枠を含み、前記枠はＬ型枠を含み、前記Ｌ型枠の垂直部分の中には左方に開口したサイドスライド溝が設けられ、前記Ｌ型枠の水平部分の中には上方に開口した底部スライド溝が設けられ、前記底部スライド溝の中には下調節部品がスライドできるように設けられ、前記サイドスライド溝の中には上調節部品と皮むき刃物がスライドできるように設けられ、前記下調節部品は果物固定盤を含み、前記果物固定盤の頂部端面には左右対称な固定針Ｂが固定的に連結取り付けられ、前記上調節部品はスライド板を含み、前記スライド板の中には下方に開口した上方スライド溝が設けられ、前記上方スライド溝の中には上スライドブロックがスライドできるように連結取り付けられ、前記上スライドブロックの底部端面の中には回転ヘッドが回転できるように連結取り付けられ、前記回転ヘッドの底部端面には固定板が固定的に連結取り付けられ、前記固定板の底部端面には左右に対称的な固定針Ａが固定的に連結取り付けられ、前記スライド板の上下位置を調節することによって果物を前記果物固定盤と固定板との間に固定することができることを特徴とする調節できる果物皮むき機。
【請求項２】
前記枠は前記Ｌ型枠の中に固定的に連結取り付けられたモーターＡも含み、前記モーターＡの上向きの出力軸がねじ山軸に固定的に連結され、前記ねじ山軸が前記サイドスライド溝の中に入り、かつ前記サイドスライド溝の頂壁と回転できるように係合し、前記サイドスライド溝の前後壁の中には対称的な位置制限溝が設けられ、前記サイドスライド溝の右側壁には右方に開口した引掛り溝が設けられ、前記上調節部品は前記スライド板の中に位置する上下に貫通している抜き穴も含み、前記ねじ山軸が抜き穴を貫き、前記スライド板が前記サイドスライド溝の中にスライドできるように連結取り付けられ、前記スライド板の前後端面には対称的な位置制限ブロックが固定的に連結取り付けられ、前記位置制限ブロックと前記位置制限溝とがスライドできるように係合し、前記スライド板と前記Ｌ型枠がねじ山ヘッドによって固定され、前記上方スライド溝の左右の壁の間にはガイドロッドが固定的に連結取り付けられ、前記上スライドブロックと前記ガイドロッドとがスライドできるように係合し、前記上スライドブロックの頂部端面にはラックが設けられ、前記上方スライド溝の頂壁の中にはラック溝が設けられ、前記ラック溝にはラック板がスライドできるように連結取り付けられ、前記ラック板と前記ラックとが噛み合っており、前記ラック板の頂部端面には連結ロッドが固定的に連結取り付けられ、前記連結ロッドが上に前記スライド板の頂部端面を貫通し、前記連結ロッドの頂部端面には止めブロックが固定的に連結取り付けられ、前記止めブロックと前記スライド板との間には引張バネが固定的に取り付けられ、スライド板の高さを調節する時、ねじ山ヘッドを緩みに回し、スライド板を上下にスライドし移動させ、高さを調整し、上スライドブロックの左右の位置を調節する時に、連結ロッドを上に抜き、ラック板を上に移動連動させ、ラック板とラックとを噛合状態から離脱させ、上スライドブロックをスライドし、左右の位置を調節できることを特徴とする請求項１に記載の調節できる果物皮むき機。
【請求項３】
前記皮むき刃物は前記止めブロックとねじ山によって係合される刃物スタンドを含み、前記刃物スタンドと前記サイドスライド溝とがスライドできるように係合し、前記刃物スタンドの中には左方に開口した伸縮溝が設けられ、前記伸縮溝の中には伸縮ロッドがスライドできるように取り付けられ、前記伸縮ロッドの右側端面と前記伸縮溝の右側壁との間には圧縮バネが固定的に取り付けられ、前記伸縮溝の中には一部の位置制限環状溝が設けられ、前記伸縮ロッドの外側端面には位置制限リングが設けられ、前記位置制限リングと前記位置制限環状溝とがスライドできるように係合し、前記伸縮ロッドの中には左方に開口した振り溝が設けられ、前記振り溝の右側壁の中にはボールが回転できるように取り付けられ、前記ボールの左側端面にはボールロッドが固定的に取り付けられ、前記ボールロッドは前記振り溝の中に前後に振ることができ、前記ボールロッドの前後の端面と前記振り溝の前後壁との間には復帰バネが固定的に取り付けられ、前記ボールロッドの左側端面にはナイフスタンドが固定的に取り付けられ、前記ナイフスタンドの中には刃物が固定的に取り付けられ、通常の状態では、伸縮ロッドが圧縮バネの作用によって左側に押され、刃物と果物の表面とが接触した後、果物の回転と伴い、ナイフスタンドが繰り返して振って復帰し、果物の皮を剥き、モーターＡが始動してねじ山軸をゆっくりと順方向に回転連動させ、ねじ山軸がねじ山の係合によって刃物スタンドをゆっくりと上に移動連動させることを特徴とする請求項１に記載の調節できる果物皮むき機。
【請求項４】
前記下調節部品は前記底部スライド溝の中にスライドできるように取り付けられたスライドブロックも含み、前記スライドブロックの中にはモーターＢが固定的に取り付けられ、前記果物固定盤が前記モーターＢの上方の出力軸の頂部端面に固定的に取り付けられ、スライドブロックを移動して固定針Ｂの左右の位置を調節し、上スライドブロックの左右の位置が制限され、果物と固定針Ｂとの固定により、スライドブロックの左右の位置を固定することができ、モーターＢが始動して果物固定盤を回転連動させ、果物固定盤が果物と固定板を回転連動させることを特徴とする請求項１に記載の調節できる果物皮むき機。
【発明の詳細な説明】
【技術分野】
【０００１】
本発明は果物皮むき機分野を取り上げて、具体的には調節できる果物皮むき機である。
【背景技術】
【０００２】
果物皮むきナイフは便利に果物の皮を剥くことができ、しかし手が清潔でないと、果物の果肉を汚しやすく、更に皮を剥く時に不注意に手を傷つけることがあり、場合によれば肉を削ることもあり、大きな痛みを生み、自動皮むき機の出現によりこの問題が解決でき、しかし現有の皮むき機は各種類の異なる大きさの果物を対応できる機能がない。
【先行技術文献】
【特許文献】
【０００３】
【特許文献１】中国特許出願公開第１０７０１９２３１号明細書
【発明の概要】
【発明が解決しようとする課題】
【０００４】
本発明の目的は調節できる果物皮むき機を提供し、それは上記の現在の技術中の問題を解決できる。
【課題を解決するための手段】
【０００５】
本発明の調節できる果物皮むき機は、枠を含み、前記枠はＬ型枠を含み、前記Ｌ型枠の垂直部分の中には左方に開口したサイドスライド溝が設けられ、前記Ｌ型枠の水平部分の中には上方に開口した底部スライド溝が設けられ、前記底部スライド溝の中には下調節部品がスライドできるように設けられ、前記サイドスライド溝の中には上調節部品と皮むき刃物がスライドできるように設けられ、前記下調節部品は果物固定盤を含み、前記果物固定盤の頂部端面には左右対称な固定針Ｂが固定的に連結取り付けられ、前記上調節部品はスライド板を含み、前記スライド板の中には下方に開口した上方スライド溝が設けられ、前記上方スライド溝の中には上スライドブロックがスライドできるように連結取り付けられ、前記上スライドブロックの底部端面の中には回転ヘッドが回転できるように連結取り付けられ、前記回転ヘッドの底部端面には固定板が固定的に連結取り付けられ、前記固定板の底部端面には左右に対称的な固定針Ａが固定的に連結取り付けられる。
【０００６】
更の技術プラン、前記枠は前記Ｌ型枠の中に固定的に連結取り付けられたモーターＡも含み、前記モーターＡの上向きの出力軸がねじ山軸に固定的に連結され、前記ねじ山軸が前記サイドスライド溝の中に入り、かつ前記サイドスライド溝の頂壁と回転できるように係合し、前記サイドスライド溝の前後壁の中には対称的な位置制限溝が設けられ、前記サイドスライド溝の右側壁には右方に開口した引掛り溝が設けられ、前記上調節部品は前記スライド板の中に位置する上下に貫通している抜き穴も含み、前記ねじ山軸が抜き穴を貫き、前記スライド板が前記サイドスライド溝の中にスライドできるように連結取り付けられ、前記スライド板の前後端面には対称的な位置制限ブロックが固定的に連結取り付けられ、前記位置制限ブロックと前記位置制限溝とがスライドできるように係合し、前記スライド板と前記Ｌ型枠がねじ山ヘッドによって固定され、前記上方スライド溝の左右の壁の間にはガイドロッドが固定的に連結取り付けられ、前記上スライドブロックと前記ガイドロッドとがスライドできるように係合し、前記上スライドブロックの頂部端面にはラックが設けられ、前記上方スライド溝の頂壁の中にはラック溝が設けられ、前記ラック溝にはラック板がスライドできるように連結取り付けられ、前記ラック板と前記ラックとが噛み合っており、前記ラック板の頂部端面には連結ロッドが固定的に連結取り付けられ、前記連結ロッドが上に前記スライド板の頂部端面を貫通し、前記連結ロッドの頂部端面には止めブロックが固定的に連結取り付けられ、前記止めブロックと前記スライド板との間には引張バネが固定的に取り付けられる。
【０００７】
更の技術プラン、前記皮むき刃物は前記止めブロックとねじ山によって係合される刃物スタンドを含み、前記刃物スタンドと前記サイドスライド溝とがスライドできるように係合し、前記刃物スタンドの中には左方に開口した伸縮溝が設けられ、前記伸縮溝の中には伸縮ロッドがスライドできるように取り付けられ、前記伸縮ロッドの右側端面と前記伸縮溝の右側壁との間には圧縮バネが固定的に取り付けられ、前記伸縮溝の中には一部の位置制限環状溝が設けられ、前記伸縮ロッドの外側端面には位置制限リングが設けられ、前記位置制限リングと前記位置制限環状溝とがスライドできるように係合し、前記伸縮ロッドの中には左方に開口した振り溝が設けられ、前記振り溝の右側壁の中にはボールが回転できるように取り付けられ、前記ボールの左側端面にはボールロッドが固定的に取り付けられ、前記ボールロッドは前記振り溝の中に前後に振ることができ、前記ボールロッドの前後の端面と前記振り溝の前後壁との間には復帰バネが固定的に取り付けられ、前記ボールロッドの左側端面にはナイフスタンドが固定的に取り付けられ、前記ナイフスタンドの中には刃物が固定的に取り付けられる。
【０００８】
更の技術プラン、前記下調節部品は前記底部スライド溝の中にスライドできるように取り付けられたスライドブロックも含み、前記スライドブロックの中にはモーターＢが固定的に取り付けられ、前記果物固定盤が前記モーターＢの上方の出力軸の頂部端面に固定的に取り付けられる。
【発明の効果】
【０００９】
果物の直径、高さによって上調節部品と下調節部品を調節でき、ほとんどの果物に対応でき、振ることができるボールロッドは果物の表面によって振り、更にいい皮むき効果を持つことができ、調節が便利であり、普及価値がある。
【図面の簡単な説明】
【００１０】
【図１】図１は本発明の全体構成略図
【図２】図２は図１のＡの拡大構成略図
【発明を実施するための形態】
【００１１】
以下、図１−２を合わせて本発明について詳しく説明し、また、説明の便利を図るため、下記に記載の上下左右前後方向が図１自身の投影関係の上下左右前後方向と一致することにする。
【００１２】
図１−２を参照し、本発明の調節できる果物皮むき機は、枠９０１を含み、前記枠９０１はＬ型枠２４を含み、前記Ｌ型枠２４の垂直部分の中には左方に開口したサイドスライド溝２５が設けられ、前記Ｌ型枠２４の水平部分の中には上方に開口した底部スライド溝４０が設けられ、前記底部スライド溝４０の中には下調節部品９０２がスライドできるように設けられ、前記サイドスライド溝２５の中には上調節部品９０３と皮むき刃物９０４がスライドできるように設けられ、前記下調節部品９０２は果物固定盤４３を含み、前記果物固定盤４３の頂部端面には左右対称な固定針Ｂ４４が固定的に連結取り付けられ、前記上調節部品９０３はスライド板１０を含み、前記スライド板１０の中には下方に開口した上方スライド溝１１が設けられ、前記上方スライド溝１１の中には上スライドブロック１３がスライドできるように連結取り付けられ、前記上スライドブロック１３の底部端面の中には回転ヘッド１５が回転できるように連結取り付けられ、前記回転ヘッド１５の底部端面には固定板１４が固定的に連結取り付けられ、前記固定板１４の底部端面には左右に対称的な固定針Ａ１６が固定的に連結取り付けられ、前記スライド板１０の上下位置を調節することによって果物を前記果物固定盤４３と固定板１４との間に固定することができる。
【００１３】
有益的には、前記枠９０１は前記Ｌ型枠２４の中に固定的に連結取り付けられたモーターＡ３８も含み、前記モーターＡ３８の上向きの出力軸がねじ山軸３０に固定的に連結され、前記ねじ山軸３０が前記サイドスライド溝２５の中に入り、かつ前記サイドスライド溝２５の頂壁と回転できるように係合し、前記サイドスライド溝２５の前後壁の中には対称的な位置制限溝２８が設けられ、前記サイドスライド溝２５の右側壁には右方に開口した引掛り溝３１が設けられ、前記上調節部品９０３は前記スライド板１０の中に位置する上下に貫通している抜き穴２７も含み、前記ねじ山軸３０が抜き穴２７を貫き、前記スライド板１０が前記サイドスライド溝２５の中にスライドできるように連結取り付けられ、前記スライド板１０の前後端面には対称的な位置制限ブロック２６が固定的に連結取り付けられ、前記位置制限ブロック２６と前記位置制限溝２８とがスライドできるように係合し、前記スライド板１０と前記Ｌ型枠２４がねじ山ヘッド３２によって固定され、前記上方スライド溝１１の左右の壁の間にはガイドロッド１２が固定的に連結取り付けられ、前記上スライドブロック１３と前記ガイドロッド１２とがスライドできるように係合し、前記上スライドブロック１３の頂部端面にはラック２２が設けられ、前記上方スライド溝１１の頂壁の中にはラック溝１７が設けられ、前記ラック溝１７にはラック板１８がスライドできるように連結取り付けられ、前記ラック板１８と前記ラック２２とが噛み合っており、前記ラック板１８の頂部端面には連結ロッド２１が固定的に連結取り付けられ、前記連結ロッド２１が上に前記スライド板１０の頂部端面を貫通し、前記連結ロッド２１の頂部端面には止めブロック２３が固定的に連結取り付けられ、前記止めブロック２３と前記スライド板１０との間には引張バネ２０が固定的に取り付けられ、スライド板１０の高さを調節する時、ねじ山ヘッド３２を緩みに回し、スライド板１０を上下にスライドし移動させ、高さを調整し、上スライドブロック１３の左右の位置を調節する時に、連結ロッド２１を上に抜き、ラック板１８を上に移動連動させ、ラック板１８とラック２２とを噛合状態から離脱させ、上スライドブロック１３をスライドし、左右の位置を調節できる。
【００１４】
有益的には、前記皮むき刃物９０４は前記止めブロック２３とねじ山によって係合される刃物スタンド３３を含み、前記刃物スタンド３３と前記サイドスライド溝２５とがスライドできるように係合し、前記刃物スタンド３３の中には左方に開口した伸縮溝３４が設けられ、前記伸縮溝３４の中には伸縮ロッド４５がスライドできるように取り付けられ、前記伸縮ロッド４５の右側端面と前記伸縮溝３４の右側壁との間には圧縮バネ３５が固定的に取り付けられ、前記伸縮溝３４の中には一部の位置制限環状溝３７が設けられ、前記伸縮ロッド４５の外側端面には位置制限リング３６が設けられ、前記位置制限リング３６と前記位置制限環状溝３７とがスライドできるように係合し、前記伸縮ロッド４５の中には左方に開口した振り溝４６が設けられ、前記振り溝４６の右側壁の中にはボール４７が回転できるように取り付けられ、前記ボール４７の左側端面にはボールロッド５１が固定的に取り付けられ、前記ボールロッド５１は前記振り溝４６の中に前後に振ることができ、前記ボールロッド５１の前後の端面と前記振り溝４６の前後壁との間には復帰バネ５２が固定的に取り付けられ、前記ボールロッド５１の左側端面にはナイフスタンド４８が固定的に取り付けられ、前記ナイフスタンド４８の中には刃物５０が固定的に取り付けられ、通常の状態では、伸縮ロッド４５が圧縮バネ３５の作用によって左側に押され、刃物５０と果物の表面とが接触した後、果物の回転と伴い、ナイフスタンド４８が繰り返して振って復帰し、果物の皮を剥き、モーターＡ３８が始動してねじ山軸３０をゆっくりと順方向に回転連動させ、ねじ山軸３０がねじ山の係合によって刃物スタンド３３をゆっくりと上に移動連動させる。
【００１５】
有益的には、前記下調節部品９０２は前記底部スライド溝４０の中にスライドできるように取り付けられたスライドブロック４１も含み、前記スライドブロック４１の中にはモーターＢ４２が固定的に取り付けられ、前記果物固定盤４３が前記モーターＢ４２の上方の出力軸の頂部端面に固定的に取り付けられ、スライドブロック４１を移動して固定針Ｂ４４の左右の位置を調節し、上スライドブロック１３の左右の位置が制限され、果物と固定針Ｂ４４との固定により、スライドブロック４１の左右の位置を固定することができ、モーターＢ４２が始動して果物固定盤４３を回転連動させ、果物固定盤４３が果物と固定板１４を回転連動させる。
【００１６】
使用する時、モーターＡ３８が始動しねじ山軸３０を速く反転連動させ、ねじ山軸３０がねじ山の係合によって刃物スタンド３３を速く底端に移動連動させ、果物を果物固定盤４３に固定し、スライドブロック４１を移動して果物の位置を調節し、上スライドブロック１３の左右の位置を調節し、連結ロッド２１を上に抜き、ラック板１８を上に移動連動させ、ラック板１８とラック２２とを噛合状態から離脱させ、上スライドブロック１３をスライドすることによって左右の位置が調節でき、スライド板１０の高さを調節し、ねじ山ヘッド３２を緩みに回し、上下にスライド板１０をスライドし移動させ、果物を果物固定盤４３と固定板１４との間に固定し、モーターＢ４２を始動し、モーターＢ４２が果物固定盤４３を回転連動させ、果物固定盤４３が果物と固定板１４を回転連動させ、伸縮ロッド４５が圧縮バネ３５の作用によって左端まで押され、刃物５０と果物の表面とが接触した後、果物の回転と伴い、ナイフスタンド４８が繰り返して振って復帰し、果物の皮を剥き、モーターＡ３８が始動してねじ山軸３０をゆっくりと順方向に回転連動させ、ねじ山軸３０がねじ山の係合によって刃物スタンド３３をゆっくりと上に移動連動させ、刃物スタンド３３が上に移動することにより、果物の直径が変化し、伸縮ロッド４５を押して伸縮溝３４の中に移動させ、刃物スタンド３３がスライド板１０と接触した後にモーターＡ３８が止まる。
【００１７】
本発明の有益効果は：果物の直径、高さによって上調節部品と下調節部品を調節でき、ほとんどの果物に対応でき、振ることができるボールロッドは果物の表面によって振り、更にいい皮むき効果を持つことができ、調節が便利であり、普及価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175070.tif 000003
【図２】
2020175070.tif 000004